(57)【要約】    【課題】      上り回線の干渉が瞬時に大きく変動することを防止して、通信品質を良好に保つことができる無線通信システムおよび基地局装置を提供すること。    【解決手段】  ターゲットΔＲｏＴよりも予想ΔＲｏＴが大きい場合には、スケジューリング部１０８は、予想ΔＲｏＴとターゲットΔＲｏＴとの差分だけ、予想ΔＲｏＴが小さくなるように、ＴＦＣのアップ、またはダウンを命ずるコマンドを送信する通信端末装置１５１の数を制限して、スケジューリングを行う。または、スケジューリング部１０８は、ＴＦＣのダウン、アップを命ずるコマンドを送信する通信端末装置１５１の数のバランスを適当に調整して、スケジューリングを行う。この結果、ＲｏＴの上昇過程およびＲｏＴの下降過程において、ＲｏＴの変動幅であるΔＲｏＴを一定範囲内に納めることができるため、上り回線の干渉が瞬時に大きく変動することを防止して、通信品質を良好に保つことができる。  【選択図】      図１
2005294999.tif 000002
【特許請求の範囲】
【請求項１】
自機のセル内における通信端末装置に対するスケジューリングにより、変動する干渉の変動予想量を算出する干渉変動予想量算出手段と、
前記干渉の変動予想量が、所定値以下となるように前記スケジューリングを行うスケジューリング手段と、
を具備することを特徴とする基地局装置。
【請求項２】
自機のセル内における干渉の所定時間毎の変動量を算出する干渉変動量算出手段を具備し、
前記スケジューリング手段は、前記干渉の変動量が、前記所定値より大きい場合には、前記スケジューリングに補正を行うことを特徴とする請求項１記載の基地局装置。
【請求項３】
前記スケジューリング手段は、前記スケジューリングを同時に行う通信端末装置の数、または、前記スケジューリングを同時に行う通信端末装置ごとのデータ送信レートを調整することを特徴とする請求項１又は請求項２に記載の基地局装置。
【請求項４】
前記スケジューリング手段は、データ送信レートのアップまたはダウンを同時に指示する前記通信端末装置の数の調整により、前記干渉の変動予想量が、前記所定値以下となるようにスケジューリングを行うことを特徴とする請求項１又は請求項２に記載の基地局装置。
【請求項５】
前記スケジューリング手段は、前記通信端末装置に対して、データ送信レートのアップまたはダウンを指示する回数の調整により、前記干渉の変動予想量が、前記所定値以下となるようにスケジューリングを行うことを特徴とする請求項１又は請求項２に記載の基地局装置。
【請求項６】
前記スケジューリング手段は、前記スケジューリングの方法がタイムスケジューリングである場合に、スケジューリング時間ごとに通信を許可する通信端末装置の数、または、スケジューリング時間ごとに通信を許可する通信端末装置の各々におけるデータ送信レートを調整することにより、前記干渉の変動予想量が、所定値以下となるように前記スケジューリングを行うことを特徴とする請求項１又は請求項２に記載の基地局装置。
【請求項７】
自機のセル内における干渉量を測定する干渉量測定手段と、
前記干渉量の目標値を決定する干渉量目標値決定手段と、
を具備し、
前記スケジューリング手段は、測定した前記干渉量と前記干渉量の目標値との差が、所定値以下となるように前記スケジューリングを行うことを特徴とする請求項１から請求項６のいずれかに記載の基地局装置。
【請求項８】
前記干渉量目標値決定手段は、セル内の音声信号およびパケット信号のトラヒック状況、音声通信を行っているユーザの数、ＥＤＣＨを使用しているユーザの数、または自セル内における受信干渉電力値に基づいて、前記干渉量の目標値を決定することを特徴とする請求項７記載の基地局装置。
【請求項９】
請求項１から請求項８のいずれかに記載の基地局装置と、
前記基地局装置からのスケジューリングに基づいて、前記基地局装置との無線通信を行う通信端末装置と、
を具備することを特徴とする無線通信システム。
【発明の詳細な説明】
【技術分野】
【０００１】
本発明は、無線通信システムおよび基地局装置に関し、特に、上り回線の干渉が瞬時に大きく変動することを防止して、通信品質を良好に保つことができる無線通信システムおよび基地局装置に関する。
【背景技術】
【０００２】
ＨＳＤＰＡ（High Speed Downlink Packet Access）の導入により、ＷＣＤＭＡ（Wideband Code Division Multiple Access）方式における下り回線の高速化が進められている。これに伴い、アップリンクエンハンスメント（Uplink Enhancement）と呼ばれる、上り回線を高速化および低遅延化するための様々な技術の検討が進められている。
【０００３】
このＷＣＤＭＡ方式の無線通信システムにおける上り回線データ伝送を安定的に動作させるためには、熱雑音を考慮した上での基地局における受信電力が、所定の目標値までの範囲に収まるように各ＭＳ（Mobile station）に対して受信電力リソースを配分する必要がある。これを実現するために、上り回線データ伝送のためのスケジューリングを適切に行うことが考えられ、非特許文献１にもこれを示唆する記述がある。
【０００４】
スケジューリングには、従来より、例えば、レートスケジューリング（Rate Scheduling）およびタイムスケジューリング（Time Scheduling）がある。
【０００５】
このレートスケジューリングとは、基地局装置が、複数の通信端末装置の連続的なデータ送信を許可するとともに、各通信端末装置の送信レートを調整する仕組みである。一方、タイムスケジューリングとは、基地局装置が、各通信端末装置のデータ送信タイミングを制御するとともに、データ送信の際の送信レートを制御する仕組みである。
【０００６】
ここで、レートスケジューリングの従来例を図９を参照して説明する。図９に示すように、基地局装置では、送信するデータ量等を示すトランスポートフォーマット（Transport Format：以下、「ＴＦ」と省略する)の組合せであるトランスポートフォーマットコンビネーション(Transport Format Combination：以下、「ＴＦＣ」と省略する)が用意されている。ここでは、ＴＦＣ０からＴＦＣ１０の１１のＴＦＣが用意されている状況を示している。それぞれのＴＦＣが、各々異なるデータレートに対応する。なお、ＴＦＣは、ＭＣＳ（Modulation and coding scheme）と呼ばれることもある。
【０００７】
この基地局装置は、通信端末装置に対して、許可できる範囲で最大の送信レートを持つＴＦＣを選択し、その選択したＴＦＣを通知する。また、基地局装置は、通信端末装置に対して、送信レートのレートアップ、レートダウンまたはレートキープを示すコマンドにより指示を出して、各通信端末装置の送信レートを調整する。
【０００８】
通信端末装置は、基地局装置から受信する上記コマンドに従って、データ送信に利用するＴＦＣ（これは、送信レートと対応する）のアップ、ダウンまたはキープを行う。
【０００９】
こうして基地局装置が、通信端末装置のＴＦＣを調整することで、基地局装置における受信電力は、図１０に示すようなトレンドを採ると考えられる。なお、図１０は、基地局装置に送信許可された通信端末装置（ＵＥ１〜３）が３つある場合について示している。また、タイムスケジューリングの場合の基地局装置における受信電力の推移傾向を図１１に示す。
【００１０】
このように、上り回線データ伝送のためのスケジューリングを行うことにより、上り回線データ伝送をある程度は安定的に動作させることができる。
【非特許文献１】Uplink Enhancementに関する標準化文献  3GPP  RAN1  TR25.896vl.2.0
【発明の開示】
【発明が解決しようとする課題】
【００１１】
しかしながら、上記無線通信システムにおいては、基地局装置が多くの通信端末装置に対して、同時にレートアップの指示を出す場合（図１２（ａ）参照）に、上り回線の全受信干渉電力（Rise over Thermal noise：以下、「ＲｏＴ」と省略する）が、短期間に大きく変動することが考えられる（図１２（ｂ）参照）。また、基地局装置が多くの通信端末装置に対して、同時にレートダウンの指示を出す場合（図１３（ａ）参照）にも、上り回線のＲｏＴが、短期間に大きく変動することが考えられる（図１３（ｂ）参照）。このときの基地局装置におけるＲｏＴの時間変動の一例を示したのが図１４である。
【００１２】
このようにＲｏＴが瞬時に大きく変動すると、次のような悪影響、すなわち、チャネルＳＮＲ推定の悪化、ＴＦＣ（ＭＣＳ）選択の誤り増加、通信容量の減少およびパケット送信の失敗増加などにより、通信品質が悪化してしまう問題がある。これは、スケジューリングにタイムスケジューリングを採用した場合にも当てはまる。
【００１３】
本発明は、かかる点に鑑みてなされたものであり、上り回線の干渉が瞬時に大きく変動することを防止して、通信品質を良好に保つことができる無線通信システムおよび基地局装置を提供することを目的とする。
【課題を解決するための手段】
【００１４】
本発明の基地局装置は、自機のセル内における通信端末装置に対するスケジューリングにより、変動する干渉の変動予想量を算出する干渉変動予想量算出手段と、前記干渉の変動予想量が、所定値以下となるように前記スケジューリングを行うスケジューリング手段と、を具備する構成を採る。
【００１５】
この構成によれば、基地局装置のセル内におけるスケジューリングにより変動する干渉の変動量の予想量が、目標とする干渉の変動量より小さくなるように、スケジューリング手段がスケジューリングを行うことにより、上り回線の干渉量が瞬時に大きく変動することを防止できる。そのため、基地局装置およびその基地局装置を備える無線通信システムの通信品質を良好に保つことができる。
【発明の効果】
【００１６】
本発明によれば、上り回線の干渉が瞬時に大きく変動することを防止して、通信品質を良好に保つことができる無線通信システムおよび基地局装置を提供することができる。
【発明を実施するための最良の形態】
【００１７】
本発明の骨子は、基地局装置のセル内におけるスケジューリングにより変動する干渉の変動量の予想量が、目標とする干渉の変動量より小さくなるようにスケジューリングを行うことにより、上り回線の干渉量が瞬時に大きく変動することを防止することである。
【００１８】
以下、本発明の実施の形態について図面を参照して詳細に説明する。
【００１９】
まず、本発明の一実施の形態に係る無線通信システムの構成について、図１を参照して説明する。
【００２０】
図１に示すように、無線通信システム１００は、基地局装置１０１および通信端末装置１５１を備える。なお、無線通信システム１００には、多数の基地局装置１０１および通信端末装置１５１が存在するが、図１には、それぞれ１つずつ表示する。
【００２１】
基地局装置１０１は、受信部１０２、セルＲｏＴ測定部１０３、ＲｏＴ変動幅算出部１０４、ターゲットΔＲｏＴ決定部１０５、ΔＲｏＴ比較部１０６、Δスケジューリング算出部１０７、スケジューリング部１０８および送信部１０９を備える。
【００２２】
受信部１０２は、各通信端末装置１５１から送信される信号を受信して、セルＲｏＴ測定部１０３に出力するとともに、その受信信号に含まれるＳＩ（Signal Information）情報をΔスケジューリング算出部１０７に出力する。
【００２３】
セルＲｏＴ測定部１０３は、基地局装置１０１のセル内における全干渉電力ＲｏＴを、所定の時間ごとに測定し、そのログ(記録)を保存する。そして、その全干渉電力ＲｏＴの測定値をＲｏＴ情報としてＲｏＴ変動幅算出部１０４に出力する。
【００２４】
ＲｏＴ変動幅算出部１０４は、セルＲｏＴ測定部１０３から今回受け取るＲｏＴ測定値と、前回受け取ったＲｏＴ測定値との差の絶対値をとって、変動幅であるΔＲｏＴを所定の時間（例えば、スケジューリング間隔）ごとに算出して、ΔＲｏＴ比較部１０６へ出力する。
【００２５】
Δスケジューリング算出部１０７は、受信部１０２から受け取るＳＩ情報に基づいて基地局装置１０１が決定した全通信端末装置１５１に関する要求送信レートの総和であるスケジューリング量からスケジューリング間隔ごとの差の絶対値（以下、「Δスケジューリング」という）を求める。さらに、ΔスケジューリングからＲｏＴの変動値に換算することにより予想ＲｏＴ変動量（以下、「予想ΔＲｏＴ」という）を求める。
【００２６】
そして、Δスケジューリング算出部１０７は、予想ＲｏＴ変動量をΔＲｏＴ比較部１０６に出力する。
【００２７】
ΔＲｏＴ比較部１０６は、ターゲットΔＲｏＴ決定部１０５が決定した本システムの通信品質を一定以上に保つことが出来るＲｏＴの変動幅の上限値（ターゲットΔＲｏＴ）と、ＲｏＴ変動幅算出部１０４からのΔＲｏＴとを比較して、比較結果をスケジューリング部１０８へ出力する。なお、この比較結果は、直近のスケジューリングが良好であったか否かの指数となる。
【００２８】
また、ΔＲｏＴ比較部１０６は、ターゲットΔＲｏＴと予想ΔＲｏＴとを、予想ΔＲｏＴとターゲットΔＲｏＴとの差を求めて比較し、比較結果をスケジューリング部１０８へ出力する。
【００２９】
スケジューリング部１０８は、ターゲットΔＲｏＴと予想ΔＲｏＴとの比較の結果、ターゲットΔＲｏＴよりも予想ΔＲｏＴが大きい場合には、予想ΔＲｏＴとターゲットΔＲｏＴとの差分だけ、予想ΔＲｏＴが小さくなるように、ＴＦＣのダウン（または、アップ）を命ずるコマンドを送信する通信端末装置１５１の数を制限して、スケジューリングを行い、スケジューリング情報を送信部１０９に出力する。
【００３０】
また、スケジューリング部１０８は、ターゲットΔＲｏＴと予想ΔＲｏＴとの比較の結果、ターゲットΔＲｏＴよりも予想ΔＲｏＴが小さい場合には、要求送信レートに則り、スケジューリングを行い、スケジューリング情報を送信部１０９に出力する。
【００３１】
なお、このスケジューリングにおいて、スケジューリング部１０８は、ターゲットΔＲｏＴとΔＲｏＴとの比較結果を基にして補正を行うことにより、さらに確率よくΔＲｏＴをターゲットΔＲｏＴ内に収めることができる。
【００３２】
送信部１０９は、各通信端末装置１５１に対して、対応するスケジューリング情報を送信する。
【００３３】
なお、ここでは、ＴＦＣのダウン（または、アップ）を命ずるコマンドを一度に送信する通信端末装置１５１の数に制限を加えることにより、ＲｏＴの変動を制御する方法について説明しているが、この方法に限定されるものではなく、次の方法でもよい。
【００３４】
第１の方法として、スケジューリング部１０８は、ＴＦＣのダウン、アップ、キープを命ずるコマンドを通信端末装置１５１に送信する回数を制限することにより、スケジューリング間隔ごとのＲｏＴの変動を一定の幅に制御することができる。
【００３５】
また、第２の方法として、スケジューリング部１０８は、ＴＦＣのダウン、アップを命ずるコマンドを送信する通信端末装置１５１の数のバランスを適当に調整することにより、ＲｏＴの変動を一定の幅に制御することができる。具体的には、基地局装置１０１のセル内の全通信端末装置１５１の受信干渉電力ＲｏＴの変動幅を抑えるために、ある通信端末装置１５１にＴＦＣのアップを命じた時には、他の通信端末装置１５１にはダウンを命ずるコマンドを送信する。
【００３６】
この第２の方法の概念図を図２に示す。図２には、基地局装置１０１が通信端末装置１５１−１にＴＦＣのアップを命じた場合には、同時に通信端末装置１５１−２にＴＦＣのダウンを命ずる。こうすることで、スケジューリング間隔ごとのＲｏＴの変動幅を小さく抑えることができる。
【００３７】
また、上記基地局装置１０１の説明では、基地局装置１０１が、通信端末装置１５１から受け取るＳＩ情報に基づいて全通信端末装置１５１の送信レートを決定し、その送信レートの総和であるスケジューリング量からΔスケジューリングを求め、さらに、このΔスケジューリングからＲｏＴの変動値に換算することにより予想ＲｏＴ変動量（予想ΔＲｏＴ）を求めることとした。しかし、これに限定されるものではなく、基地局装置１０１における予想ΔＲｏＴを求める方法としては、通信端末装置１５１からのＳＩ情報に要求送信レートを含め、この要求送信レートの総和であるスケジューリング量からスケジューリング間隔ごとの差の絶対値（以下、「Δスケジューリング」という）を求める。さらに、ΔスケジューリングからＲｏＴの変動値に換算することにより予想ＲｏＴ変動量（予想ΔＲｏＴ）を求めることとしてもよい。
【００３８】
この場合の基地局装置１０１における動作について説明する。なお、基地局装置１０１自体の構成は図１に示すものと同様であり、また、その受信部１０２、セルＲｏＴ測定部１０３およびＲｏＴ変動幅算出部１０４の動作は、上記説明と同様であるので、省略する。
【００３９】
Δスケジューリング算出部１０７は、受信部１０２から受け取るＳＩ情報に含まれる要求送信レートの総和であるスケジューリング量からΔスケジューリングを求める。さらに、ΔスケジューリングからＲｏＴの変動値に換算することにより予想ＲｏＴ変動量（予想ΔＲｏＴ）を求める。
【００４０】
そして、Δスケジューリング算出部１０７は、受信部１０２から受け取るＳＩ情報および予想ＲｏＴ変動量をΔＲｏＴ比較部１０６に出力する。
【００４１】
ΔＲｏＴ比較部１０６は、ターゲットΔＲｏＴ決定部１０５が決定した本システムの通信品質を一定以上に保つことが出来るＲｏＴの変動幅の上限値（ターゲットΔＲｏＴ）と、ＲｏＴ変動幅算出部１０４からのΔＲｏＴとを比較して、比較結果をスケジューリング部１０８へ出力する。なお、この比較結果は、前回のスケジューリングが良好であったか否かの指数となる。
【００４２】
また、ΔＲｏＴ比較部１０６は、ターゲットΔＲｏＴとΔスケジューリング算出部１０７からの予想ΔＲｏＴとを、予想ΔＲｏＴとターゲットΔＲｏＴとの差を求めて比較し、比較結果をスケジューリング部１０８へ出力する。
【００４３】
スケジューリング部１０８は、ターゲットΔＲｏＴと予想ΔＲｏＴとの比較の結果、ターゲットΔＲｏＴよりも予想ΔＲｏＴが大きい場合には、予想ΔＲｏＴとターゲットΔＲｏＴとの差分だけ、予想ΔＲｏＴが小さくなるように、ＴＦＣのダウン（または、アップ）を命ずるコマンドを送信する通信端末装置１５１の数を制限して、スケジューリングを行い、スケジューリング情報を送信部１０９に出力する。
【００４４】
また、スケジューリング部１０８は、ターゲットΔＲｏＴと予想ΔＲｏＴとの比較の結果、ターゲットΔＲｏＴよりも予想ΔＲｏＴが小さい場合には、ＳＩ情報に含まれる要求送信レートに則り、スケジューリングを行い、スケジューリング情報を送信部１０９に出力する。
【００４５】
送信部１０９は、各通信端末装置１５１に対して、対応するスケジューリング情報を送信する。
【００４６】
次いで、通信端末装置１５１の構成について、図１を参照して説明する。
【００４７】
通信端末装置１５１は、受信部１５２、ＳＩ（Signal Information）情報測定部１５３、ＳＩ情報報告部１５４、スケジューリング情報取得部１５５、スケジューリング情報分析部１５６、スケジューリング情報実行部１５７、ＥＤＣＨパケット生成部１５８およびＥＤＣＨパケット送信部１５９を備える。
【００４８】
受信部１５２は、基地局装置１０１からの信号を受信して、ＳＩ情報測定部１５３およびスケジューリング情報取得部１５５へ出力する。
【００４９】
ＳＩ情報測定部１５３は、受信部１５２から受け取る信号から基地局装置１０１との間の伝搬環境を示す情報（伝搬損失量など）を測定する。そして、ＳＩ情報測定部１５３は、この基地局装置１０１との間の伝搬環境を示す情報と、入力されるパケット用最大電力情報（通信端末装置１５１の最大送信電力からＥＤＣＨチャネル以外の全てのチャネルの送信電力値を引いた値）および送信パケットサイズとをＳＩ情報として、ＳＩ情報報告部１５４へ出力する。なお、ＳＩ情報には、通信端末装置１５１から基地局装置１０１に対して要求する送信レートに関する情報を含めてもよい。
【００５０】
ＳＩ情報報告部１５４は、ＳＩ情報測定部１５３から受け取るＳＩ情報を基地局装置１０１に対して送信することにより報告を行う。
【００５１】
一方、スケジューリング情報取得部１５５は、受信部１０２から受け取る信号からスケジューリング情報を取得して、スケジューリング情報分析部１５６へ出力する。
【００５２】
スケジューリング情報分析部１５６は、スケジューリング情報取得部１５５からのスケジューリング情報の内容を分析し、分析結果をスケジューリング情報実行部１５７へ出力する。
【００５３】
スケジューリング情報実行部１５７は、スケジューリング情報分析部１５６から受け取るスケジューリング情報の内容の分析結果に基づいて、ＥＤＣＨで送信する際の変調方式や、送信レートすなわちＴＦＣを決定し、決定した変調方式およびＴＦＣをＥＤＣＨパケット生成部１５８に出力する。
【００５４】
ＥＤＣＨパケット生成部１５８は、スケジューリング情報実行部１５７から受け取るＴＦＣに基づいて、ＥＤＣＨパケットを物理チャネルに生成し、このＥＤＣＨパケットとスケジューリング情報実行部１５７からの変調方式に関する変調方式情報とを、ＥＤＣＨパケット送信部１５９に出力する。
【００５５】
ＥＤＣＨパケット送信部１５９は、ＥＤＣＨパケット生成部１５８から受け取るＥＤＣＨパケットを、受け取った変調方式情報が示す変調方式で変調して、基地局装置１０１へ送信する。
【００５６】
次いで、基地局装置１０１において、レートスケジューリングを採用した場合のＲｏＴ変動幅制御に関する動作フローについて図３を参照して説明する。
【００５７】
まず、ターゲットΔＲｏＴ決定部１０５において、本システムの通信品質を一定以上に保つことが出来るＲｏＴの変動幅の上限値（ターゲットΔＲｏＴ）を決定し、ΔＲｏＴ比較部１０６に設定する（ＳＴ２０１）。
【００５８】
ＳＴ２０２において、Δスケジューリング算出部１０７は、受信部１０２から受け取るＳＩ情報に基づいて基地局装置１０１が決定した全通信端末装置１５１に関する要求送信レートの総和であるスケジューリング量からΔスケジューリングの値を求める。さらに、Δスケジューリングの値からＲｏＴの変動値に換算することにより予想ＲｏＴ変動量（予想ΔＲｏＴ）を算出する。
【００５９】
ＳＴ２０３において、ＲｏＴ変動幅算出部１０４は、セルＲｏＴ測定部１０３から今回受け取るＲｏＴ値と、前回受け取ったＲｏＴ値との差をとって、変動幅であるΔＲｏＴを所定の時間（例えば、スケジューリング間隔）ごとに算出する。
【００６０】
ＳＴ２０４において、ΔＲｏＴ比較部１０６は、ターゲットΔＲｏＴと予想ΔＲｏＴとを、予想ΔＲｏＴとターゲットΔＲｏＴとの差を求めて比較する。
【００６１】
ＳＴ２０４における比較の結果、予想ΔＲｏＴがターゲットΔＲｏＴよりも大きい場合（ＳＴ２０４：ＮＯ）には、スケジューリング部１０８は、予想ΔＲｏＴとターゲットΔＲｏＴとの差分だけ、予想ΔＲｏＴが小さくなるように、ＴＦＣのダウン（または、アップ）を命ずるコマンドを送信する通信端末装置１５１の数を制限して、スケジューリングを行う（ＳＴ２０５）。
【００６２】
ＳＴ２０６において、ΔＲｏＴ比較部１０６により出力されたターゲットΔＲｏＴとΔＲｏＴとの比較結果が、ΔＲｏＴ≦ターゲットΔＲｏＴを示す場合（ＳＴ２０６：ＹＥＳ）には、スケジューリング部１０８は、ＳＴ２０５にて行ったスケジューリングのとおりのスケジューリング情報を、送信部１０９を介して通信端末装置１５１へ送信する（ＳＴ２０７）。
【００６３】
また、ＳＴ２０６において、ΔＲｏＴ比較部１０６により出力されたターゲットΔＲｏＴとΔＲｏＴとの比較結果が、ΔＲｏＴ＞ターゲットΔＲｏＴを示す場合（ＳＴ２０６：ＮＯ）には、スケジューリング部１０８は、ターゲットΔＲｏＴとΔＲｏＴとの開きに応じて補正を加えて、再スケジューリングを行う（ＳＴ２０８）。そして、スケジューリング部１０８は、その補正後のスケジューリング情報を、送信部１０９を介して通信端末装置１５１へ送信する（ＳＴ２０７）。
【００６４】
一方、ＳＴ２０４における比較の結果、予想ΔＲｏＴがターゲットΔＲｏＴ以下の場合（ＳＴ２０４：ＹＥＳ）には、スケジューリング部１０８は、要求送信レートに則り、スケジューリングを行う（ＳＴ２０９）。
【００６５】
そして、ＳＴ２１０において、ΔＲｏＴ比較部１０６により出力されたターゲットΔＲｏＴとΔＲｏＴとの比較結果が、ΔＲｏＴ≦ターゲットΔＲｏＴを示す場合（ＳＴ２１０：ＹＥＳ）には、スケジューリング部１０８は、ＳＴ２０９にて行ったスケジューリングのとおりのスケジューリング情報を、送信部１０９を介して通信端末装置１５１へ送信する（ＳＴ２０７）。
【００６６】
また、ＳＴ２１０において、ΔＲｏＴ比較部１０６により出力されたターゲットΔＲｏＴとΔＲｏＴとの比較結果が、ΔＲｏＴ＞ターゲットΔＲｏＴを示す場合（ＳＴ２１０：ＮＯ）には、スケジューリング部１０８は、ターゲットΔＲｏＴとΔＲｏＴとの開きに応じて補正を加えて、再スケジューリングを行う（ＳＴ２１１）。そして、スケジューリング部１０８は、その補正後のスケジューリング情報を、送信部１０９を介して通信端末装置１５１へ送信する（ＳＴ２０７）。
【００６７】
このように、本実施の形態によれば、ターゲットΔＲｏＴよりも予想ΔＲｏＴが大きい場合（ＳＴ２０４：ＮＯ）には、スケジューリング部１０８は、予想ΔＲｏＴとターゲットΔＲｏＴとの差分だけ、予想ΔＲｏＴが小さくなるように、ＴＦＣのアップ（図４（ａ）参照）、またはダウン（図５（ａ）参照）を命ずるコマンドを送信する通信端末装置１５１の数を制限して、スケジューリングを行う。この結果、ＲｏＴの上昇過程（図４（ｂ）参照）およびＲｏＴの下降過程（図５（ｂ）参照）において、ＲｏＴの変動幅であるΔＲｏＴを一定範囲内に収めることができるため、上り回線の干渉が瞬時に大きく変動することを防止して、通信品質を良好に保つことができる。このときの、ＲｏＴの変動状況を図６に示す。
【００６８】
さらに、直近のスケジューリングが良好であったか否かの指数となるΔＲｏＴの値に応じて、スケジューリングに補正を施すことにより、さらに確率よくΔＲｏＴをターゲットΔＲｏＴ内に収めることができるため、上り回線の干渉が瞬時に大きく変動することを防止して、通信品質を良好に保つことができる。
【００６９】
なお、本実施の形態においては、レートスケジューリングを採用した場合について、説明を行ってきたが、このスケジューリングに限定されるものではなく、例えば、タイムスケジューリングを採用した場合にも適用することができる。
【００７０】
また、本実施の形態においては、ΔＲｏＴを一定範囲内に収めることについて、説明を行ってきたが、ＲｏＴの値そのものについてターゲットを設定し、実測のＲｏＴの値と、このターゲットＲｏＴとの開きを一定範囲内に収めることでも、上り回線の干渉が瞬時に大きく変動することを防止して、通信品質を良好に保つことができる。
【００７１】
基地局装置におけるターゲットＲｏＴの設定についての概念図を図７に示す。図７に示すように、基地局装置が備えるターゲットＲｏＴ算出部は、そのセル内の音声信号およびパケット信号のトラヒック状況、音声通信を行っているユーザの数、ＥＤＣＨを使用しているユーザの数、自セル内における干渉の測定値および他セルにおける干渉の測定値などのパラメータを用いて、ターゲットＲｏＴを決定する。
【００７２】
この基地局装置の構成例を図８に示す。図８に示す基地局装置８０１は、セル内音声・パケットトラヒック状況測定部８０２、音声ユーザ数測定部８０３、ＥＤＣＨユーザ数測定部８０４、セルＲｏＴ測定部８０５、ＲｏＴ変動幅測定部８０６、ターゲットＲｏＴ算出部８０７、ターゲットΔＲｏＴ決定部８０８、およびスケジューリング部８０９を備える。
【００７３】
セル内音声・パケットトラヒック状況測定部８０２は、基地局装置８０１のセル内における音声信号およびパケット信号のトラヒック状況を測定する。
【００７４】
音声ユーザ数測定部８０３は、基地局装置８０１のセル内における音声通信しているユーザの数を測定する。
【００７５】
ＥＤＣＨユーザ数測定部８０４は、基地局装置８０１のセル内におけるＥＤＣＨを使用しているユーザの数を測定する。
【００７６】
セルＲｏＴ測定部８０５は、基地局装置８０１のセル内における受信干渉電力値（ＲｏＴ）を測定する。
【００７７】
ＲｏＴ変動幅測定部８０６は、今回測定したＲｏＴと、前回測定したＲｏＴとの差の絶対値をとって、変動幅であるΔＲｏＴを所定の時間（例えば、スケジューリング間隔）ごとに測定する。
【００７８】
ターゲットＲｏＴ算出部８０７は、セル内音声・パケットトラヒック状況測定部８０２、音声ユーザ数測定部８０３、ＥＤＣＨユーザ数測定部８０４およびセルＲｏＴ測定部８０５の各々において、測定されたセル内の音声信号およびパケット信号のトラヒック状況、音声通信を行っているユーザの数、ＥＤＣＨを使用しているユーザの数および自セル内における受信干渉電力値に基づいて、ターゲットＲｏＴを算出して、スケジューリング部８０９に出力する。なお、ターゲットＲｏＴ算出部８０７は、例えば、音声通信を行っているユーザの数が少ない時には、ターゲットＲｏＴを高めに算出する。なぜならば、音声通信を行っているユーザの数が少ないということは、音声通信による干渉電力が少ないため、上りの高速パケット通信におけるターゲットＲｏＴを高めに設定しても、一定レベル以上の通信品質を保持できるからである。
【００７９】
ターゲットΔＲｏＴ決定部８０８は、セル内音声・パケットトラヒック状況測定部８０２、音声ユーザ数測定部８０３、ＥＤＣＨユーザ数測定部８０４、セルＲｏＴ測定部８０５、およびＲｏＴ変動幅測定部８０６の各々において、測定されたセル内の音声信号およびパケット信号のトラヒック状況、音声通信を行っているユーザの数、ＥＤＣＨを使用しているユーザの数、自セル内における受信干渉電力値、およびΔＲｏＴに基づいて、ターゲットΔＲｏＴを決定して、スケジューリング部８０９に出力する。
【００８０】
スケジューリング部８０９は、ターゲットＲｏＴ算出部８０７およびターゲットΔＲｏＴ決定部８０８から受け取るターゲットＲｏＴおよびターゲットΔＲｏＴに応じて、基地局装置８０１におけるＲｏＴの値がターゲットＲｏＴから一定範囲内にあるように、かつ、基地局装置８０１におけるΔＲｏＴがターゲットΔＲｏＴより小さくなるように、スケジューリングを行い、スケジューリング情報を通信端末装置へ送信する。
【００８１】
以上より、本実施の形態によれば、基地局装置のセル内におけるスケジューリングにより変動する干渉の変動量の予想量が、目標とする干渉の変動量より小さくなるように、スケジューリングを行うことにより、上り回線の干渉量が瞬時に大きく変動することを防止できる。そのため、基地局装置およびその基地局装置を備える無線通信システムの通信品質を良好に保つことができる。
【産業上の利用可能性】
【００８２】
本発明は、上り回線の干渉が瞬時に大きく変動することを防止して、通信品質を良好に保つことができる無線通信システムおよび基地局装置として有用である。
【図面の簡単な説明】
【００８３】
【図１】本発明の一実施の形態に係る無線通信システムの構成を示すブロック図
【図２】図１の無線通信システムの基地局装置におけるスケジューリング方法の一例を説明するための概念図
【図３】図１の無線通信システムの基地局装置において、レートスケジューリングを採用した場合のＲｏＴ変動幅制御に関する動作フロー図
【図４】図３のＲｏＴ変動幅制御を実行したときのＲｏＴの動き（上昇過程である場合）を説明するための図
【図５】図３のＲｏＴ変動幅制御を実行したときのＲｏＴの動き（下降過程である場合）を説明するための図
【図６】図３のＲｏＴ変動幅制御を実行したときのＲｏＴ変動状況を示した図
【図７】一実施の形態の変形例における基地局装置でのターゲットＲｏＴの設定についての概念図
【図８】一実施の形態の変形例における基地局装置の構成を示すブロック図
【図９】レートスケジューリングの従来例を説明するための図
【図１０】従来のレートスケジューリングを採用した基地局装置における受信電力の変動トレンドを示した図
【図１１】従来のタイムスケジューリングを採用した基地局装置における受信電力の変動トレンドを示した図
【図１２】従来のレートスケジューリングを採用した基地局装置におけるＲｏＴの動き（同時にレートアップの指示を出した場合）を説明するための図
【図１３】従来のレートスケジューリングを採用した基地局装置におけるＲｏＴの動き（同時にレートダウンの指示を出した場合）を説明するための図
【図１４】従来のレートスケジューリングを採用した基地局装置におけるＲｏＴの動きを説明するための図
【符号の説明】
【００８４】
１００  無線通信システム
１０１、８０１  基地局装置
１０２  受信部
１０３、８０５  セルＲｏＴ測定部
１０４、８０６  ＲｏＴ変動幅算出部
１０５、８０８  ターゲットΔＲｏＴ決定部
１０６  ΔＲｏＴ比較部
１０７  Δスケジューリング算出部
１０８、８０９  スケジューリング部
１０９  送信部
１５１  通信端末装置
１５２  受信部
１５３  ＳＩ情報測定部
１５４  ＳＩ情報報告部
１５５  スケジューリング情報取得部
１５６  スケジューリング情報分析部
１５７  スケジューリング情報実行部
１５８  ＥＤＣＨパケット生成部
１５９  ＥＤＣＨパケット送信部
８０２  セル内音声・パケットトラヒック状況測定部
８０３  音声ユーザ数測定部
８０４  ＥＤＣＨユーザ数測定部
８０７  ターゲットＲｏＴ算出部
【図１】
2005294999.tif 000003
【図２】
2005294999.tif 000004
【図３】
2005294999.tif 000005
【図４】
2005294999.tif 000006
【図５】
2005294999.tif 000007
【図６】
2005294999.tif 000008
【図７】
2005294999.tif 000009
【図８】
2005294999.tif 000010
【図９】
2005294999.tif 000011
【図１０】
2005294999.tif 000012
【図１１】
2005294999.tif 000013
【図１２】
2005294999.tif 000014
【図１３】
2005294999.tif 000015
【図１４】
2005294999.tif 000016